(57)【特許請求の範囲】
【請求項１】
電気的に接続された複数の太陽電池モジュールを有する複数のストリングの夫々に配置され、無線通信ネットワークを介して通信を行う第１無線通信装置と、前記ストリングの発電状況を示す情報である監視情報が設定されたデータである監視情報データを、自身に付与されている固有の識別子である監視装置ＩＤを付帯させて前記無線通信ネットワークを介して送信する監視情報データ送信部と、を備える、複数のストリング監視装置と、
前記ストリング監視装置の夫々と前記無線通信ネットワークを介して通信する、第２無線通信装置と、
前記ストリングの識別子であるストリングＩＤと前記監視装置ＩＤとの対応を記憶する記憶部と、前記ストリング監視装置が送信した前記監視情報データを前記第２無線通信装置を介して受信する通信部と、受信した前記監視情報データに付帯する前記監視装置ＩＤに対応する前記ストリングＩＤを特定し、受信した前記監視情報データに設定されている前記監視情報を、前記特定したストリングＩＤとともに出力する監視情報出力部と、を備える、情報処理装置と、
前記第１無線通信装置と無線通信する第３無線通信装置と、検査用の情報である検査用情報を前記ストリング監視装置に無線送信する検査用情報送信部と、を備える、検査用無線通信装置と、
を含み、
前記監視情報データ送信部は、前記検査用無線通信装置から受信した前記検査用情報を前記監視情報として設定した前記監視情報データを、自身に付与されている前記監視装置ＩＤを付帯させて前記無線通信ネットワークを介して送信する、
太陽光発電システムに用いるストリング監視装置の配置を確認するシステム。
【請求項２】
前記監視情報データ送信部は、
前記監視情報を設定した前記監視情報データを第１時間間隔で前記無線通信ネットワークを介して前記情報処理装置に送信し、
前記検査用情報を前記監視情報として設定した前記監視情報データを、前記第１時間間隔とは異なる第２時間間隔で前記無線通信ネットワークを介して送信する、
請求項１に記載の太陽光発電システムに用いるストリング監視装置の配置を確認するシステム。
【請求項３】
前記検査用無線通信装置は、前記検査用情報を前記第２時間間隔で前記ストリング監視装置に無線送信し、
前記監視情報データ送信部は、前記検査用情報を前記監視情報として設定した前記監視情報データを、前記第２時間間隔で前記無線通信ネットワークを介して送信する、
請求項２に記載の太陽光発電システムに用いるストリング監視装置の配置を確認するシステム。
【請求項４】
前記検査用無線通信装置は、ブロードキャストでリクエストビーコンを無線送信し、
前記ストリング監視装置は、
受信電波の受信電界強度を計測する受信電界強度計を備え、
前記リクエストビーコンを受信すると、自身の前記監視装置ＩＤと受信した前記リクエストビーコンの受信電界強度とを付帯させたレスポンスビーコンを前記検査用無線通信装置に無線送信し、
前記検査用無線通信装置は、複数の前記ストリング監視装置から前記レスポンスビーコンを受信し、受信した前記レスポンスビーコンに付帯する前記受信電界強度が最大の前記ストリング監視装置を特定し、特定した前記ストリング監視装置の前記監視装置ＩＤを宛先として、前記検査用情報を無線送信する、
請求項１に記載の太陽光発電システムに用いるストリング監視装置の配置を確認するシステム。
【請求項５】
前記検査用情報は、前記監視情報とは異なる情報である、
請求項１に記載の太陽光発電システムに用いるストリング監視装置の配置を確認するシステム。
【請求項６】
前記監視情報は、前記ストリングの電流ラインについて計測した電流値及び電圧値の少なくともいずれかである、
請求項１乃至５のいずれか一項に記載の太陽光発電システムに用いるストリング監視装置の配置を確認するシステム。
【請求項７】
前記無線通信ネットワークは、マルチホップ方式の無線通信ネットワークであり、
前記監視装置ＩＤは、前記ストリング監視装置に付与されているＭＡＣアドレスである、
請求項１乃至５のいずれか一項に記載の太陽光発電システムに用いるストリング監視装置の配置を確認するシステム。
【請求項８】
電気的に接続された複数の太陽電池モジュールを有するストリングに配置され、無線通信ネットワークを介して通信を行う第１無線通信装置と、前記ストリングの発電状況を示す情報である監視情報が設定されたデータである監視情報データを、自身に付与されている固有の識別子である監視装置ＩＤを付帯させて前記無線通信ネットワークを介して送信し、検査用の情報である検査用情報を無線送信する検査用無線通信装置から前記検査用情報を受信すると、前記検査用情報を前記監視情報として設定した前記監視情報データを、自身に付与されている前記監視装置ＩＤを付帯させて前記無線通信ネットワークを介して送信する監視情報データ送信部と、
を備える、ストリング監視装置。
【請求項９】
前記監視情報データ送信部は、
前記監視情報を前記監視情報として設定した前記監視情報データを第１時間間隔で前記無線通信ネットワークを介して前記情報処理装置に送信し、
前記検査用情報を設定した前記監視情報データを、前記第１時間間隔とは異なる第２時間間隔で前記無線通信ネットワークを介して送信する、
請求項８に記載のストリング監視装置。
【請求項１０】
電気的に接続された複数の太陽電池モジュールを有するストリングに配置され、無線通信ネットワークを介して通信を行う第１無線通信装置と、前記ストリングの発電状況を示す情報である監視情報が設定されたデータである監視情報データを、自身に付与されている固有の識別子である監視装置ＩＤを付帯させて前記無線通信ネットワークを介して送信し、検査用の情報である検査用情報を無線送信する検査用無線通信装置から前記検査用情報を受信すると、前記検査用情報を前記監視情報として設定した前記監視情報データを、自身に付与されている前記監視装置ＩＤを付帯させて前記無線通信ネットワークを介して送信する監視情報データ送信部と、を備える、ストリング監視装置に、前記検査用情報を無線送信する、前記第１無線通信装置と無線通信する第３無線通信装置を備えた、
検査用無線通信装置。
【請求項１１】
電気的に接続された複数の太陽電池モジュールを有する複数のストリングの夫々に配置され、無線通信ネットワークを介して通信を行う第１無線通信装置を備える複数のストリング監視装置が、前記ストリングの発電状況を示す情報である監視情報が設定されたデータである監視情報データを、自身に付与されている固有の識別子である監視装置ＩＤを付帯させて前記無線通信ネットワークを介して送信するステップ、
前記ストリング監視装置の夫々と前記無線通信ネットワークを介して通信する第２無線通信装置を介して通信する情報処理装置が、前記ストリングの識別子であるストリングＩＤと前記監視装置ＩＤとの対応を記憶し、前記ストリング監視装置が送信した前記監視情報データを受信し、受信した前記監視情報データに付帯する前記監視装置ＩＤに対応する前記ストリングＩＤを特定し、受信した前記監視情報データに設定されている前記監視情報を、前記特定したストリングＩＤとともに出力するステップ、
前記第１無線通信装置と無線通信する第３無線通信装置を備える検査用無線通信装置が、検査用の情報である検査用情報を前記ストリング監視装置に無線送信するステップ、
及び、
前記ストリング監視装置が、前記検査用無線通信装置から前記検査用情報を受信すると、前記検査用情報を前記監視情報として設定した前記監視情報データを、自身に付与されている前記監視装置ＩＤを付帯させて前記無線通信ネットワークを介して送信するステップ、
を含む、太陽光発電システムに用いるストリング監視装置の配置を確認する方法。
【請求項１２】
前記ストリング監視装置が、
前記監視情報を設定した前記監視情報データを第１時間間隔で前記無線通信ネットワークを介して前記情報処理装置に送信し、
前記検査用情報を前記監視情報として設定した前記監視情報データを、前記第１時間間隔とは異なる第２時間間隔で前記無線通信ネットワークを介して送信するステップ、
を更に含む、
請求項１１に記載の太陽光発電システムに用いるストリング監視装置の配置を確認する方法。
【請求項１３】
前記検査用無線通信装置が、前記検査用情報を前記第２時間間隔で前記ストリング監視装置に無線送信するステップ、
前記ストリング監視装置が、前記検査用情報を受信すると、前記検査用情報を前記監視情報として設定した前記監視情報データを、前記第２時間間隔で前記無線通信ネットワークを介して送信するステップ、
を更に含む、
請求項１２に記載の太陽光発電システムに用いるストリング監視装置の配置を確認する方法。
【請求項１４】
前記検査用無線通信装置が、ブロードキャストでリクエストビーコンを無線送信するステップ、
前記ストリング監視装置が、受信電波の受信電界強度を計測する受信電界強度計を備え、前記リクエストビーコンを受信すると、自身の前記監視装置ＩＤと受信した前記リクエストビーコンの受信電界強度とを付帯させたレスポンスビーコンを前記検査用無線通信装置に無線送信するステップ、
前記検査用無線通信装置が、複数の前記ストリング監視装置から前記レスポンスビーコンを受信し、受信した前記レスポンスビーコンに付帯する前記受信電界強度が最大の前記ストリング監視装置を特定し、特定した前記ストリング監視装置の前記監視装置ＩＤを宛先として、前記検査用情報を無線送信するステップ、
を更に含む、
請求項１１に記載の太陽光発電システムに用いるストリング監視装置の配置を確認する方法。
【請求項１５】
前記監視情報は、前記ストリングの電流ラインについて計測した電流値及び電圧値の少なくともいずれかであり、
前記検査用無線通信装置は、前記ストリングが出力を停止している時に、前記検査用情報を前記ストリング監視装置に無線送信するステップ、  
を更に含む、
請求項１１に記載の太陽光発電システムに用いるストリング監視装置の配置を確認する方法。
【請求項１６】
複数の前記検査用無線通信装置が、夫々異なる前記ストリング監視装置に、夫々異なる内容の前記検査用情報を前記ストリング監視装置に無線送信するステップ、
を更に含む、
請求項１１に記載の太陽光発電システムに用いるストリング監視装置の配置を確認する方法。
【発明の詳細な説明】
【技術分野】
【０００１】
本発明は、太陽光発電システムに用いるストリング監視装置の配置を確認するシステム、ストリング監視装置、検査用無線通信装置、及び配置確認方法に関する。
【背景技術】
【０００２】
特許文献１には、太陽電池モジュールと、太陽電池モジュールを電力系統へ連系するパワーコンディショナとを電気的に接続する回路全体の状況を容易に測定することを目的として構成された太陽光発電システムについて記載されている。太陽光発電システムは、複数の太陽電池ストリングを多段階かつ電気的に並列接続する複数の接続箱と、終端に位置する接続箱に電気的に接続して太陽電池ストリングを電力系統へ連系するパワーコンディショナと、接続箱の入力側における電流を計測する複数の入力側電流計と、接続箱の出力側における電流を計測する複数の出力側電流計と、接続箱の出力側における電圧を計測する複数の電圧計と、入力側電流計、出力側電流計および電圧計の計測結果を取得して送信する複数の情報収集装置と、情報収集装置から入力側電流計、出力側電流計および電圧計の計測結果を受信して記憶する記憶装置と、を備える。
【０００３】
特許文献２には、太陽電池ストリングの異常判断の処理負担を分散する技術について記載されている。太陽光発電システムは、複数個の太陽電池が直列に接続された太陽電池ストリングを複数本備える。複数本の太陽電池ストリングは接続箱に接続される。各接続箱は、太陽電池ストリングに流れる電流値から異常を判断する分散判断手段内に、太陽電池ストリングの電流値を測定し且つ電流値に相当するデータ信号を出力するホール素子型変流器を備えた測定処理部と、測定処理部からのデータ信号に基づき異常の有無を検知し且つ異常検知時にエラー信号を出力する信号処理部を備える。
【０００４】
特許文献３には、データ通信の通信精度を向上することを目的として構成された、太陽電池ストリングを監視する発電監視装置について記載されている。発電監視装置は、太陽電池モジュール又は太陽電池ストリングの発電情報を取得する取得部と、取得部により取得された発電情報を無線通信する無線通信部とを備える。発電監視装置は、無線通信部により通信される通信信号の信号強度が所定値以上である位置に配置される。
【０００５】
特許文献４には、「処理負担の分散」、「メンテナンス性の向上」及び「後付設置の容易化」を同時に実現することを目的として構成された、太陽光発電プラントの異常検知システムについて記載されている。異常検知システムは、太陽電池が接続された太陽電池ストリングを複数本備え、太陽電池ストリングごとに設置され且つ複数本の太陽電池ストリングにおける異常を検知する検知機を複数個有し、検知機それぞれは、当該検知機が設置された太陽電池ストリングの複数個の太陽電池のうち、少なくとも１つから電力を供給され、所定の通信範囲内で互いに無線通信可能な通信部を備え、複数個の検知機は、ある１つの検知機の通信範囲内に他の検知機が少なくとも１つ存在し、全ての検知機が互いに無線通信可能なネットワークを自己編成する。
【先行技術文献】
【特許文献】
【０００６】
【特許文献１】特開２０１３−３８３４５号公報
【特許文献２】特開２０１４−１５４６０２号公報
【特許文献３】特開２０１５−７９７９９号公報
【特許文献４】特開２０１５−１６２４６９号公報
【発明の概要】
【発明が解決しようとする課題】
【０００７】
太陽光発電システムを監視する仕組みとして、ストリング毎に監視機器（以下、ストリング監視装置と称する。）を設置し、ストリング監視装置から送られてくる監視情報（ストリングの発電情報を示す電圧値や電流値等）を無線通信により監視所等に設置された情報処理装置に集約し、監視所等にてストリングの集中管理を行う方法がある。このように監視をストリング毎に行うことで発電状況を詳細に把握することができる。
【０００８】
ところで、上記の方法で各ストリングの情報を正しく把握するためには、各ストリングと夫々に配置されるストリング監視装置との対応（ストリング監視装置の夫々に付与されている物理アドレスとストリングの夫々に付与されている識別子との対応）を情報処理装置側で正確に把握している必要がある。
【０００９】
しかしながら、例えば、膨大な数のストリングが存在する太陽光発電所においては（例えば１ＭＷ規模では一般に数百程度以上のストリングが存在する）、ストリング監視装置を予定（計画）とは異なるストリングに誤って配置してしまう、上記対応を誤って情報処理装置に登録してしまう等のミスを完全に防ぐことは難しい。そのため、太陽光発電システムの施行時や改修時においては、監視機器が予定（計画）された正しいストリングに配置されていることを確認する必要がある。
【００１０】
ここで上記の確認作業は、従来、例えば、まず監視装置をストリングから取り外し、当該監視装置から情報処理装置にデータが送られてくるか否かを調べる等の手順で行われている。しかし監視装置の取り外し作業に多大な労力と時間を要し、確認作業を如何にして効率よく行うかが課題となっている。
【００１１】
本発明は、こうした背景に鑑みてなされたものであり、ストリング監視装置を用いてストリングの監視を行っている太陽光発電システムにおいて、ストリング監視装置がストリングに正しく配置されていることの確認を効率よく行えるようにすることを目的としている。
【課題を解決するための手段】
【００１２】
本発明のうちの一つは、太陽光発電システムに用いるストリング監視装置の配置を確認するシステムであり、
電気的に接続された複数の太陽電池モジュールを有する複数のストリングの夫々に配置され、無線通信ネットワークを介して通信を行う第１無線通信装置と、前記ストリングの発電状況を示す情報である監視情報が設定されたデータである監視情報データを、自身に付与されている固有の識別子である監視装置ＩＤを付帯させて前記無線通信ネットワークを介して送信する監視情報データ送信部と、を備える、複数のストリング監視装置と、
前記ストリング監視装置の夫々と前記無線通信ネットワークを介して通信する、第２無線通信装置と、
前記ストリングの識別子であるストリングＩＤと前記監視装置ＩＤとの対応を記憶する記憶部と、前記ストリング監視装置が送信した前記監視情報データを前記第２無線通信装置を介して受信する通信部と、受信した前記監視情報データに付帯する前記監視装置ＩＤに対応する前記ストリングＩＤを特定し、受信した前記監視情報データに設定されている前記監視情報を、前記特定したストリングＩＤとともに出力する監視情報出力部と、を備える、情報処理装置と、
前記第１無線通信装置と無線通信する第３無線通信装置と、検査用の情報である検査用情報を前記ストリング監視装置に無線送信する検査用情報送信部と、を備える、検査用無線通信装置と、
を含み、
前記監視情報データ送信部は、前記検査用無線通信装置から受信した前記検査用情報を前記監視情報として設定した前記監視情報データを、自身に付与されている前記監視装置ＩＤを付帯させて前記無線通信ネットワークを介して送信する。
【００１３】
その他、本願が開示する課題、及びその解決方法は、発明を実施するための形態の欄の記載、及び図面の記載等により明らかにされる。
【発明の効果】
【００１４】
本発明によれば、ストリング監視装置がストリングに正しく配置されていることの確認を効率よく行うことができる。
【図面の簡単な説明】
【００１５】
【図１】太陽光発電システム１の概略的な構成を示す単線結線図である。
【図２】マルチホップネットワークを介して通信するＳＳＵ１０とＭＵ２０の関係を概念的に示した図である。
【図３】ＳＳＵ１０のハードウェア構成を示す図である。
【図４】ＳＳＵ１０の第１無線通信装置１０４のハードウェア構成を示す図である。
【図５】ＳＳＵ１０のストリング６への取り付け方法（結線方法）を示す図である。
【図６】サーバ装置３０及びＭＵ２０のハードウェア構成を示す図である。
【図７】第２無線通信装置２０２のハードウェア構成を示す図である。
【図８】ＳＳＵ１０の第１無線通信装置１０４が備える機能及び第１無線通信装置１０４が記憶するデータを示す図である。
【図９】ＭＵ２０の第２無線通信装置２０２が備える機能及び第２無線通信装置２０２が記憶するデータを示す図である。
【図１０Ａ】サーバ装置３０が備える機能及びサーバ装置３０が記憶するデータを示す図である。
【図１０Ｂ】ＳＳＵ配置管理表３４３の一例である。
【図１１】ストリング監視機能を説明する図である。
【図１２】監視情報データ１２００のデータ構造を示す図である。
【図１３】検査用ＳＳＵ５０のハードウェア構成を示す図である。
【図１４】検査用ＳＳＵ５０の第３無線通信装置５０３のハードウェア構成を示す図である。
【図１５】検査用ＳＳＵ５０の第３無線通信装置５０３が備える機能及び第３無線通信装置５０３が記憶するデータを示す図である。
【図１６Ａ】配置確認の具体的な手順を説明する図である。
【図１６Ｂ】配置確認の具体的な手順を説明する図である。
【図１６Ｃ】配置確認の具体的な手順を説明する図である。
【図１６Ｄ】出力装置３０５に検査用情報が表示されている様子を示す図である。
【図１７Ａ】検査用ＳＳＵと対象ＳＳＵの接続確立手順を説明する図である。
【図１７Ｂ】検査用ＳＳＵと対象ＳＳＵの接続確立手順を説明する図である。
【図１７Ｃ】受信電界強度管理表５５１の一例である。
【図１７Ｄ】検査用ＳＳＵと対象ＳＳＵの接続確立手順を説明する図である。
【図１７Ｅ】検査用ＳＳＵと対象ＳＳＵの接続確立手順を説明する図である。
【図１８】サーバ装置３０、ＭＵ２０、ＳＳＵ１０、及び検査用ＳＳＵ５０の間で行われる処理を説明するフローチャートである。
【図１９】検査用ＳＳＵ５０の夫々に異なる検査用情報を設定した様子を示す図である。
【発明を実施するための形態】
【００１６】
以下、図面を適宜参照しつつ発明を実施するための形態について説明する。
【００１７】
図１に一実施形態として示す太陽光発電システム１の概略的な構成を示している。同図に示すように、太陽光発電システム１は、キュービクル２、パワーコンディショナ（以下、ＰＣＳ３（PCS:Power Conditioning System）と称する。）、接続箱４、複数のストリング６、ＳＳＵ１０、ＭＵ２０、及びサーバ装置３０を含む。ＰＣＳ３は、電力系統７に接続している。尚、ＰＣＳ３は負荷設備等に接続していてもよい。
【００１８】
ストリング６は、電流ライン８によって電気的に直列に接続された複数の太陽電池モジュール（太陽電池パネルとも称される。以下、ＰＶ５（PhotoVoltaics）と称する。）を含む。ＰＶ５は、その受光面を上方に向けて平面的に配列され、その表面側が樹脂や強化ガラス等で保護された複数の太陽電池セルを有する。尚、同図では、同じストリング６に所属するＰＶ５が横一列に配置されているが、ＰＶ５の配置はこの形態に限られない。例えば、設置効率の向上等を目的として、ＰＶ５を縦横にマトリクス状に配置してもよい。
【００１９】
接続箱４には複数のストリング６が電気的に並列に接続している。接続箱４は、各ストリング６から供給される直流電流をＰＣＳ３に供給する。接続箱４には、ストリング６ごとに設けられる直流ブレーカ（又はヒューズ）が収容されており、ストリング６はこれら直流ブレーカの上位（電力系統７側）において集線されてＰＣＳ３に接続されている。接続箱４は、逆流防止素子（ブロッキングダイオード）や避雷器等を備えていてもよい。
【００２０】
各ストリング６には、各ストリング６を一意に識別する識別子（以下、ストリングＩＤと称する。）が付与されている。本実施形態では、ストリングＩＤとして、各ＰＣＳ３を識別する識別子であるＰＣＳＩＤ、各接続箱４を識別する識別子である接続箱ＩＤ、及び、同じ接続箱４に接続しているストリング６を識別する識別子であるストリングサブＩＤを組み合わせた体系を用いることとする。同図において各ストリング６の左側に示す「１−１−１」、「１−１−２」、・・・等の表記は、上記体系に従って付与した各ストリング６のストリングＩＤである。上記の体系に従えば、例えば、ＰＣＳＩＤが「１」のＰＣＳ３（同図において「ＰＣＳ−１」と表記しているＰＣＳ３）に接続する、接続箱ＩＤが「２」の接続箱４（同図において「接続箱−２」と表記している接続箱４）に接続する、ストリングサブＩＤが「４」のストリング６のストリングＩＤは「１−２−４」となる。
【００２１】
ＰＣＳ３は、接続箱４から供給される電力を直流から交流に変換するインバータを備える。ＰＣＳ３から出力される電力は電力系統７に供給される。ＰＣＳ３は、例えば、連系設備、変圧設備、太陽電池アレイの最大出力追従制御機能、系統保護機能等を更に備えていてもよい。
【００２２】
同図に示すように、各ストリング６には夫々、無線通信機能を備えた装置である監視装置（以下、ＳＳＵ１０（String Sensor Unit）（ストリング監視装置）と称する。）が設けられている。ＳＳＵ１０は、自身が設けられているストリング６（以下、当該ストリング６と称する。）の電流ライン８を流れる電流値（当該ストリング６が接続箱４に供給する電流の電流値）や電流ライン８の正側ライン８１と負側ライン８２との間の電圧値等を計測し、その計測値をストリング６の発電情報を示す情報（以下、監視情報と称する。）として設定したデータ（パケット）である監視情報データを、無線通信機能を備えた装置であるＭＵ２０（MU:Management Unit）（管理装置）に送信する。同図において、ＳＳＵ１０は、ＰＶ５と接続箱４との間に配置されているが、ＳＳＵ１０は隣接する２つのＰＶ５の間に配置してもよい。要するにＳＳＵ１０は電流ライン８の電圧や電流を測定できる箇所にＰＶ５と並列に接続されていればよい。
【００２３】
ＭＵ２０は、受信した監視情報データに設定されている監視情報を、太陽光発電システム１の監視や制御を行っている監視所等に設置された情報処理装置であるサーバ装置３０に転送する。
【００２４】
ＳＳＵ１０及びＭＵ２０は、マルチホップ方式の無線通信ネットワーク（以下、マルチホップネットワークと称する。）を構成する。マルチホップネットワークにおける通信は、例えば、２．４ＧＨｚ帯や９２０ＭＨｚ帯等の周波数帯の電波を利用し、ＩＥＥＥ８０２．１５．４等の無線通信規格に準拠して行われる。尚、上記周波数帯や無線通信規格は、電波の到達距離や隣接して配置されるＳＳＵ１０間の距離等に応じて適宜最適なものを選択してよい。マルチホップネットワークは、例えば、ＭＵ２０をルートとしてＳＳＵ１０が階層的に接続するツリー型、複数のＳＳＵ１０がＭＵ２０に直接接続するスター型等、接続形態は必ずしも限定されない。
【００２５】
図２は、マルチホップネットワークを介して通信するＳＳＵ１０とＭＵ２０の関係を概念的に示したものである。各ストリング６の各ＳＳＵ１０は、マルチホップネットワークを介して、他のＳＳＵ１０やＭＵ２０と少ない消費電力で安定して無線通信を行うことができる。
【００２６】
ＭＵ２０及び各ＳＳＵ１０には、マルチホップネットワークにおいて夫々を一意に識別する識別子である監視装置ＩＤが付与されている。ＭＵ２０及び各ＳＳＵ１０は、夫々、自身に付与されている監視装置ＩＤを記憶している。監視装置ＩＤは、例えば、ＳＳＵ１０ごとに固有に付与される物理アドレスであり、本実施形態では、ＭＡＣアドレスであるものとする。
【００２７】
［ＳＳＵ］
図３にＳＳＵ１０のハードウェア構成（ブロック図）を示している。同図に示すように、ＳＳＵ１０は、電圧検出器１０１、電流検出器１０２、Ａ／Ｄコンバータ（以下、ＡＤＣ１０３と称する。）、及び第１無線通信装置１０４を備える。ＳＳＵ１０の駆動電力は、ストリング６の電流ライン８（正側ライン８１及び負側ライン８２）から供給される。ＳＳＵ１０は非常用の補助電源を備えていてもよい。
【００２８】
電圧検出器１０１は、電流ライン８の正側ライン８１と負側ライン８２との間の電圧値を計測する素子（又は回路）、及び計測した電圧値（アナログ信号）を増幅してＡＤＣ１０３に出力する回路等を含む。
【００２９】
電流検出器１０２は、ストリング６の電流ライン８を流れる電流を検出する素子(又は回路）（例えば、負側ライン８２に挿入されるシャント抵抗）、及び計測した電流値（アナログ信号）を増幅してＡＤＣ１０３に出力する回路等を含む。
【００３０】
ＡＤＣ１０３は、電圧検出器１０１及び電流検出器１０２の夫々から入力される計測値（電圧値、電流値）（アナログ信号）をデジタル信号に変換して第１無線通信装置１０４に出力する。
【００３１】
図４に第１無線通信装置１０４のハードウェア構成を示している。第１無線通信装置１０４は、マルチホップネットワークを介して、ＭＵ２０や他のＳＳＵ１０と通信する。同図に示すように、第１無線通信装置１０４は、プロセッサ１０４１、メモリ１０４２、計時装置１０４３、及び無線通信回路１０４５を備える。プロセッサ１０４１は、例えば、ＭＰＵ（Micro Processing Unit）、ＣＰＵ（Central Processing Unit）等である。メモリ１０４２は、例えば、ＲＡＭ（Random Access Memory）、ＲＯＭ（Read Only Memory）、ＮＶＲＡＭ（Non Volatile RAM）等である。プロセッサ１０４１及びメモリ１０４２は、第１無線通信装置１０４に情報処理装置としての機能を実現する。メモリ１０４２には、ファームウェア等のプログラムやデータが格納される。計時装置１０４３は、ＲＴＣ（Real Time Clock）等を用いて構成され、時刻情報を出力する。無線装置１０４４は、高周波増幅回路、変復調回路（周波数変換回路、フィルタ回路、発振回路、直交復調回路、直交変調回路等）、ＡＤコンバータ、ＤＡコンバータ等を含む。
【００３２】
図５にＳＳＵ１０のストリング６への取り付け方法（ＳＳＵ１０の端子と電流ライン８（正側ライン８１、負側ライン８２）との結線方法）を示している。同図に示す「ａ」、「ｂ」、「ｃ」、「ｄ」等の符号は、図３に示した符号と対応しており、ＳＳＵ１０の端子と電流ライン８（正側ライン８１、負側ライン８２）との結線関係（同じ符号の線同士が結線される。）を示す。この例では、ＳＳＵ１０は、同図において左から２番目のＰＶ５から駆動電力の供給を受けるように結線されているが、ＳＳＵ１０は、同じストリング６を構成しているいずれのＰＶ５に接続してもよい。
【００３３】
［サーバ装置及びＭＵ］
図６にサーバ装置３０及びＭＵ２０のハードウェア構成を示している。サーバ装置３０は、プロセッサ３０１、メモリ３０２、記憶装置３０３、入力装置３０４、出力装置３０５、及び通信装置３０６を備える。プロセッサ３０１は、例えば、ＭＰＵ、ＣＰＵ等である。記憶装置３０３は、例えば、ＲＡＭ、ＲＯＭ、ＮＶＲＡＭ等である。入力装置３０４は、ユーザから操作入力を受け付けるユーザインタフェースであり、例えば、操作入力装置（キーボード、マウス、タッチパネル等）、音声入力装置（マイクロフォン等）等である。出力装置３０５は、情報をユーザに提供するユーザインタフェースであり、例えば、表示装置（液晶モニタ等）、音声出力装置（スピーカ等）等である。本実施形態では、出力装置３０５は表示装置であるものとする。
【００３４】
通信装置３０６は、有線通信又は無線通信によりＭＵ２０と通信するインタフェースであり、例えば、無線ＬＡＮアダプタ、ＮＩＣ（Network Interface Card）、ＵＳＢアダプタ（USB:Universal Serial Bus）、Ｂｌｕｅｔｏｏｔｈ（登録商標）、シリアル通信アダプタ（ＲＳ−４８５，ＲＳ−２３２Ｃ）等である。
【００３５】
同図に示すように、ＭＵ２０は、通信装置２０１及び第２無線通信装置２０２（第２無線通信装置）を備える。通信装置２０１は、有線通信又は無線通信によりサーバ装置３０と通信するインタフェースであり、例えば、無線ＬＡＮアダプタ、ＮＩＣ、ＵＳＢアダプタ、Ｂｌｕｅｔｏｏｔｈ（登録商標）、シリアル通信アダプタ（ＲＳ−４８５，ＲＳ−２３２Ｃ）等である。通信装置２０１は、第２無線通信装置２０２がＳＳＵ１０から受信した情報をサーバ装置３０に転送する。
【００３６】
図７に第２無線通信装置２０２のハードウェア構成を示している。第２無線通信装置２０２は、プロセッサ２０２１、メモリ２０２２、計時装置２０２３、及び無線通信回路２０２４を含む。プロセッサ２０２１は、例えば、ＭＰＵ、ＣＰＵ等である。メモリ２０２２は、例えば、ＲＡＭ、ＲＯＭ、ＮＶＲＡＭ等である。プロセッサ２０２１及びメモリ２０２２は、第２無線通信装置２０２に情報処理装置としての機能を実現する。計時装置２０２３は、ＲＴＣ等を用いて構成され、時刻情報を出力する。無線通信回路２０２４は、高周波増幅回路、変復調回路（周波数変換回路、フィルタ回路、発振回路、直交復調回路、直交変調回路等）、ＡＤコンバータ、ＤＡコンバータ等を含む。
【００３７】
第２無線通信装置２０２は、マルチホップネットワークを介してＳＳＵ１０と通信する。第２無線通信装置２０２は、マルチホップネットワークを介してＳＳＵ１０から受信した情報を通信装置２０１に転送する。
【００３８】
［ソフトウェア（機能）構成］
図８にＳＳＵ１０の第１無線通信装置１０４が備える機能及び第１無線通信装置１０４が記憶するデータを示している。第１無線通信装置１０４は、マルチホップ通信部１１１、監視情報データ送信部１１２、及び一覧表更新処理部１１３の各機能を備える。これらの機能は、例えば、第１無線通信装置１０４のプロセッサ１０４１が、メモリ１０４２に格納されているプログラムを読み出して実行することにより実現される。これらの機能は、例えば、ＡＳＩＣ（Application Specific Integrated Circuit）等のハードウェアにより実現してもよい。
【００３９】
同図に示すように、第１無線通信装置１０４は、太陽光発電システム１に設けられているＳＳＵ１０のＭＡＣアドレスの一覧であるＳＳＵのＭＡＣアドレス一覧表１５１、後述する検査用ＳＳＵ５０のＭＡＣアドレスの一覧である検査用ＳＳＵのＭＡＣアドレス一覧表１５２を記憶する。
【００４０】
マルチホップ通信部１１１は、マルチホップネットワークを介して、他のＳＳＵ１０、ＭＵ２０、及び後述する検査用ＳＳＵ５０との間で通信を行う。マルチホップ通信部１１１は、例えば、上記通信における、経路制御機能、アクセス制御機能、チャネル推定／割当機能、誤り制御機能、フロー制御機能、輻輳制御機能、ＱｏＳ管理機能等を含む。マルチホップ通信部１１１は、マルチホップネットワークを介して自身以外を宛先とするパケットを受信すると、例えば、経路制御機能により経路選択を行い、受信したパケットを、選択した経路上の他のＳＳＵ１０やＭＵ２０に転送する。
【００４１】
監視情報データ送信部１１２は、ＡＤＣ１０３から入力される自身の計測値を、監視情報として、マルチホップネットワークを介してＭＵ２０に送信する。
【００４２】
一覧表更新処理部１１３は、ＭＵ２０からＳＳＵのＭＡＣアドレス一覧表１５１の更新情報を受信すると、当該更新情報の内容をＳＳＵのＭＡＣアドレス一覧表１５１に反映する。また一覧表更新処理部１１３は、ＭＵ２０から検査用ＳＳＵのＭＡＣアドレス一覧表１５２の更新情報を受信すると、当該更新情報の内容を検査用ＳＳＵのＭＡＣアドレス一覧表１５２に反映する。
【００４３】
図９にＭＵ２０の第２無線通信装置２０２が備える機能及び第２無線通信装置２０２が記憶するデータを示している。同図に示すように、第２無線通信装置２０２は、マルチホップ通信部２１１及びサーバ装置通信部２１２を備える。これらの機能は、例えば、ＭＵ２０の第２無線通信装置２０２のプロセッサ２０２１が、メモリ２０４２に格納されているプログラムを読み出して実行することにより実現される。これらの機能は、例えば、ＡＳＩＣ等のハードウェアによって実現してもよい。
【００４４】
同図に示すように、第２無線通信装置２０２は、太陽光発電システム１に設けられているＳＳＵ１０のＭＡＣアドレスの一覧であるＭＡＣアドレス一覧表２５１、後述する検査用ＳＳＵのＭＡＣアドレスの一覧である検査用ＳＳＵのＭＡＣアドレス一覧表２５２を記憶する。
【００４５】
マルチホップ通信部２１１は、マルチホップネットワークを介して、ＳＳＵ１０との間で通信を行う。マルチホップ通信部２１１は、例えば、上記通信における、経路制御機能、アクセス制御機能、チャネル推定／割当機能、誤り制御機能、フロー制御機能、輻輳制御機能、ＱｏＳ管理機能等を含む。サーバ装置通信部２１２は、通信装置２０１によってサーバ装置３０と通信する。
【００４６】
一覧表更新処理部２１３は、サーバ装置３０からＭＡＣアドレス一覧表２５１の更新情報を受信すると、当該更新情報の内容をＭＡＣアドレス一覧表２５１に反映する。また一覧表更新処理部２１３は、サーバ装置３０から検査用ＳＳＵのＭＡＣアドレス一覧表２５２の更新情報を受信すると、当該更新情報の内容を検査用ＳＳＵのＭＡＣアドレス一覧表２５２に反映する。また一覧表更新処理部２１３は、サーバ装置３０から受信したＭＡＣアドレス一覧表２５１の更新情報や検査用ＳＳＵのＭＡＣアドレス一覧表２５２の更新情報を、マルチホップネットワークを介して、各ＳＳＵ１０に転送する。
【００４７】
図１０Ａにサーバ装置３０が備える機能及びサーバ装置３０が記憶するデータを示している。同図に示すように、サーバ装置３０は、ＭＵ通信部３１１、監視情報出力部３１２、ＳＳＵ配置管理部３１３、及び一覧表管理部３１４を備える。これらの機能は、例えば、サーバ装置３０のプロセッサ３０１が、メモリ３０２に格納されているプログラムを読み出して実行することにより実現される。これらの機能は、例えば、ＡＳＩＣ等のハードウェアによって実現してもよい。
【００４８】
同図に示すように、サーバ装置３０は、太陽光発電システム１に設けられているＳＳＵ１０のＭＡＣアドレスの一覧であるＭＡＣアドレス一覧表３５１、後述する検査用ＳＳＵのＭＡＣアドレスの一覧である検査用ＳＳＵのＭＡＣアドレス一覧表３５２、及びＳＳＵ１０のＭＡＣアドレスとストリングＩＤとの対応が管理されるＳＳＵ配置管理表３４３を記憶する。図１０ＢにＳＳＵ配置管理表３４３の一例を示す。
【００４９】
図１０Ａに戻り、ＭＵ通信部３１１は、通信装置３０６を介してＭＵ２０と通信する。
【００５０】
監視情報出力部３１２は、ＭＵ通信部３１１がＭＵ２０から受信した監視情報を出力装置３０５に出力する。監視情報出力部３１２は、ＳＳＵ配置管理表３４３を参照し、ＭＵ２０から受信した監視情報に付帯するＭＡＣアドレスに対応するストリングＩＤを特定し、特定したストリングＩＤとともに、ＭＵ２０から受信した監視情報を出力装置３０５に出力する。
【００５１】
ＳＳＵ配置管理部３１３は、ＳＳＵ１０のＭＡＣアドレスとストリングＩＤとの対応をＳＳＵ配置管理表３４３に管理する。
【００５２】
一覧表管理部３１４は、ＭＡＣアドレス一覧表３５１並びに検査用ＳＳＵのＭＡＣアドレス一覧表３５２の更新情報を入力装置３０４等を介してユーザから受け付け、受け付けた更新情報をＭＡＣアドレス一覧表３５１並びに検査用ＳＳＵのＭＡＣアドレス一覧表３５２に反映する。また一覧表管理部３１４は、受け付けたＭＡＣアドレス一覧表２５１の更新情報や検査用ＳＳＵのＭＡＣアドレス一覧表２５２の更新情報をＭＵ２０に転送する。
【００５３】
［ストリング監視機能］
続いて、以上の構成からなるＳＳＵ１０、ＭＵ２０、及びサーバ装置３０によって実現される、太陽光発電システム１における各ストリング６の状態を監視する機能（以下、ストリング監視機能と称する。）について説明する。
【００５４】
図１１に示すように、各ストリング６のＳＳＵ１０は、所定時間間隔（例えば６０秒毎。以下、第１時間間隔と称する。）で、自身の計測値（電圧値及び電流値）を監視情報として設定したデータ（パケット）（以下、監視情報データ１２００と称する。）を、マルチホップネットワークを介してＭＵ２０に送信する。
【００５５】
図１２に監視情報データ１２００のデータ構造を示している。同図に示すように、監視情報データ１２００は、ＭＵ２０のＭＡＣアドレスが設定される送信先アドレス１２１１、ＳＳＵ１０のＭＡＣアドレスが設定される送信元アドレス１２１２、監視情報１２１３、及びＳＳＵ１０が監視情報１２１３を取得した時刻が設定される取得時刻１２１４等の情報を含む。
【００５６】
図１１に戻り、ＭＵ２０は、ＳＳＵ１０から監視情報データ１２００を受信すると、監視情報データ１２００をサーバ装置３０に転送する。
【００５７】
サーバ装置３０は、監視情報データ１２００を受信すると、送信元アドレス１２１２をＳＳＵ配置管理表３４３と対照し、送信元アドレス１２１２に対応するストリングＩＤを取得し、取得したストリングＩＤと監視情報データ１２００の監視情報１２１３とを対応させた情報を出力装置３０５に出力する。
【００５８】
例えば、監視所等で太陽光発電システム１の監視を行う者（以下、監視者と称する。）は、サーバ装置３０が出力装置３０５に出力する情報を参照することで、太陽光発電システム１に存在する多数のストリング６の夫々の発電状況を効率よく監視することができる。  
【００５９】
＜ＳＳＵの配置確認＞
以上のように、サーバ装置３０は、ＳＳＵ配置管理表３４３に基づき、ＳＳＵ１０から送られてきた監視情報とストリングＩＤとの紐付けを行うため、ＳＳＵ配置管理表３４３の内容に誤りがあるとストリング６の発電状況を監視することができない。そのため、太陽光発電システム１の施工時やストリング６の新設時や改修時においては、ＳＳＵ配置管理表３４３の内容が正しいことの確認が必須となる。以下に説明するように、太陽光発電システム１は、この確認（以下、配置確認とも称する。）を効率よく行うための仕組みを備える。
【００６０】
図１３は配置確認に際して用いる装置（以下、検査用ＳＳＵ５０と称する。）のハードウェア構成である。同図に示すように、検査用ＳＳＵ５０は、入力装置５０１、出力装置５０２、及び第３無線通信装置５０３（第３無線通信装置）を備える。
【００６１】
入力装置５０１は、ユーザから操作入力を受け付けるユーザインタフェースであり、例えば、操作入力装置（操作ボタン、タッチパネル等）、音声入力装置（マイクロフォン等）等である。ユーザは、入力装置５０１を操作して、例えば、後述する検査用情報５５２として任意の情報を検査用ＳＳＵ５０に設定することができる。
【００６２】
出力装置５０２は、情報をユーザに提供するユーザインタフェースであり、例えば、表示装置（ＬＥＤ（Light Emitting Diode）、液晶モニタ等）、音声出力装置（スピーカ等）等である。ユーザは、出力装置５０２を介して、例えば、当該検査用ＳＳＵ５０に現在設定されている後述の検査用情報５５２の内容を確認することができる。
【００６３】
図１４に検査用ＳＳＵ５０の第３無線通信装置５０３のハードウェア構成を示している。同図に示すように、第３無線通信装置５０３は、プロセッサ５０３１、メモリ５０３２、計時装置５０３３、無線通信回路５０３４、及び受電電界強度計５０３５を備える。プロセッサ５０３１、メモリ５０３２、計時装置５０３３、無線通信回路５０３４の構成は、前述したＳＳＵ１０の第１無線通信装置１０４（図４）と同様である。
【００６４】
受電電界強度計５０３５は、ＳＳＵ１０から受信した無線信号（電波）の受信電界強度を計測し、計測した受信電界強度を所定の形式（例えば、ＬＱＩ（Link Quality Indication）、ＲＳＳＩ（Received signal Strength Indication）等）で出力する。尚、本実施形態では、受電電界強度計５０３５は、受信電界強度をＬＱＩとして出力するものとする。
【００６５】
図１５に、検査用ＳＳＵ５０の第３無線通信装置５０３が備える機能及び第３無線通信装置５０３が記憶するデータを示している。同図に示すように、第３無線通信装置５０３は、マルチホップ通信部５１１、対象ＳＳＵ特定部５１２、検査用情報送信部５１３、及び検査用情報設定部５１４の各機能を備える。これらの機能は、例えば、第３無線通信装置５０３のプロセッサ５０３１が、メモリ５０３２に格納されているプログラムを読み出して実行することにより実現される。これらの機能は、例えば、ＡＳＩＣ等のハードウェアにより実現してもよい。
【００６６】
同図に示すように、第３無線通信装置５０３は、受信電界強度管理表５５１、及びＳＳＵ１０に送信させる検査用の監視情報（以下、検査用情報５５２と称する。）を記憶する。
【００６７】
マルチホップ通信部５１１は、マルチホップネットワークを介して、対象ＳＳＵ特定部５１２が特定し選出したＳＳＵ１０との間で通信を行う。マルチホップ通信部５１１は、例えば、マルチホップ通信における経路制御機能、アクセス制御機能、チャネル推定／割当機能、誤り制御機能、フロー制御機能、輻輳制御機能、ＱｏＳ管理機能等を含む。尚、検査用ＳＳＵ５０は、このようにマルチホップネットワークを介してＳＳＵ１０と通信することができるので、ＳＳＵ１０側に特別な仕組みを設けることなく、検査用ＳＳＵ５０とＳＳＵ１０とが通信する仕組みを実現することができる。
【００６８】
対象ＳＳＵ特定部５１２は、配置確認の対象とするＳＳＵ１０（以下、対象ＳＳＵ１０とも称する。）を特定（選出）する。後述するように、対象ＳＳＵ特定部５１２は、当該検査用ＳＳＵ５０から送信された電波を受信した各ＳＳＵ１０から通知される、上記電波の受信電界強度に基づき、対象ＳＳＵ１０を特定する。
【００６９】
検査用情報送信部５１３は、対象ＳＳＵ特定部５１２が特定したＳＳＵ１０に対して、第１時間間隔（例えば６０秒）とは異なる第２時間間隔毎（例えば６秒毎）に、検査用情報５５２を設定したデータ（以下、検査用情報データとも称する。）を送信する。
【００７０】
検査用情報設定部５１４は、入力装置５０１を介して検査用情報の設定を受け付け、記憶している検査用情報５５２を受け付けた内容に更新する。
【００７１】
［配置確認の手順］
続いて、図１６Ａ乃至図１６Ｄとともに配置確認の手順について説明する。
【００７２】
図１１に示したように、ストリング監視機能の動作中、各ＳＳＵ１０は、第１時間間隔毎（例えば６０秒毎）に自身の計測値（電圧値及び電流値）を監視情報として設定した監視情報データ１２００をＭＵ２０に送信している（図１６Ａ）。
【００７３】
この状態において、例えば、配置確認に際して現場で作業を行う者（以下、現場作業者と称する。）は、図１６Ｂに示すように、対象ＳＳＵ１０（ここでは、ストリングＩＤが「１−１−１」のストリング６のＳＳＵ１０とする。）に検査用ＳＳＵ５０を近づける。尚、現場作業者は、携帯端末や無線通信機等を用いて、サーバ装置３０の出力を監視している監視者と適宜連絡を取ることができるものとする。
【００７４】
続いて、現場作業者は、検査用ＳＳＵ５０の電源をオンする。検査用ＳＳＵ５０は、電源
がオンされると、後述する接続確立手順を実施し、対象ＳＳＵ１０との間で接続を確立する。
【００７５】
続いて、図１６Ｃに示すように、検査用ＳＳＵ５０は、対象ＳＳＵ１０に対して、第２時間間隔毎（例えば６秒毎）の検査用情報の無線送信を開始する。尚、検査用ＳＳＵ５０は、例えば、マルチホップネットワークの通信手順に従って対象ＳＳＵ１０に検査用情報を無線送信してもよい。
【００７６】
対象ＳＳＵ１０は、検査用情報を受信すると、監視情報１２１３として受信した検査用情報を、送信元アドレス１２１２として自身のＭＡＣアドレスを、送信先アドレス１２１１としてＭＵ２０のＭＡＣアドレスを、夫々設定した監視情報データ１２００を直ちに生成し、生成した監視情報データ１２００を、マルチホップネットワークを介してＭＵ２０に送信する。ここで対象ＳＳＵ１０は、第２時間間隔毎（例えば６秒毎）に検査用情報を受信し、検査用情報を受信する度に（例えば、検査用情報の受信に同期して）検査用情報を設定した監視情報データ１２００を生成し、ＭＵ２０に送信する。そのため、検査用ＳＳＵ５０から第２時間間隔毎（例えば６秒毎）で検査用情報が無線送信されている間は、検査用情報が設定された監視情報データ１２００が、対象ＳＳＵ１０から第２時間間隔毎（例えば６秒毎）にＭＵ２０宛てに送信されることになる。
【００７７】
尚、対象ＳＳＵ１０は、受信したデータ（パケット）が検査用情報として設定されたデータであるか否かを、例えば、受信したデータに付帯する送信元アドレスを検査用ＳＳＵのＭＡＣアドレス一覧表１５２と対照することにより判定する。即ち対象ＳＳＵ１０は、受信したデータに設定されている送信元アドレスが検査用ＳＳＵのＭＡＣアドレス一覧表１５２に存在すれば、受信したデータは検査用情報が設定されたデータであると判定し、送信元アドレスが検査用ＳＳＵのＭＡＣアドレス一覧表１５２に存在しなければ、受信したデータは検査用情報が設定されたデータではないと判定する。尚、対象ＳＳＵ１０が、受信したデータに付帯する送信元アドレスがＳＳＵのＭＡＣアドレス一覧表１５１に存在しないことをもって、受信したデータは検査用情報が設定されたデータであると判定するようにしてもよい。
【００７８】
ＭＵ２０は、検査用情報が監視情報１２１３として設定された監視情報データ１２００を受信すると、受信した監視情報データ１２００をサーバ装置３０に転送する。
【００７９】
サーバ装置３０は、監視情報データ１２００を受信すると、送信元アドレス１２１２をＳＳＵ配置管理表３４３と対照し、送信元アドレス１２１２に対応するストリングＩＤを取得し、取得したストリングＩＤと、受信した監視情報データ１２００に監視情報１２１３として設定されている検査用情報とを対応させた内容を出力装置３０５に出力する。
【００８０】
図１６Ｄに、サーバ装置３０が出力装置３０５に検査用情報を表示している様子を示す。この画面には、各ストリング６に設けられているＳＳＵ１０から送られてくる過去１０回分の監視情報（計測値（電流値））とそれらの平均値が表示されている。ここで同図の例は、太陽光発電システム１が本番稼働していない（各ストリング６が電力系統７に出力を供給していない）場合であり、ＳＳＵ１０が第１時間間隔で送信する監視情報データの計測値（電流値）はいずれも０［Ａ］である（但し多少の漏れ電流は存在する。）。
【００８１】
同図に示すように、ストリングＩＤが「１−１−１」のストリング６については当該ストリング６に設けられているＳＳＵ１０から受信した検査用情報である２０［Ａ］が表示されている。このように、太陽光発電システム１が本番稼働していない場合には、０［Ａ］と異なる値を検査用情報として設定することで、出力装置３０５に出力されている情報が検査用情報であることを監視者に認識させることができる。尚、検査用情報は、電流値や電圧値等の計測値を模擬したものに限定されず、検査中である旨や、警告を示す文字や記号等であってもよい。
【００８２】
前述したように、検査用情報が設定された監視情報データ１２００は第２時間間隔毎（例えば６秒毎）に対象ＳＳＵ１０から送信されるので、サーバ装置３０は、第２時間間隔毎（例えば６秒毎）に検査用情報をＭＵ２０から受信する。従って、出力装置３０５が出力する内容は、第２時間間隔毎（例えば６秒毎）に受信した検査用情報で更新される。一方、対象ＳＳＵ１０は、第１時間間隔毎（例えば６０秒毎）に通常の監視情報（計測値（電圧値、電流値））が設定された監視情報データ１２００を送信するので、第１時間間隔毎（例えば６０秒毎）に出力装置３０５の出力内容が通常の監視情報で更新される。そのため、例えば、第２時間間隔を第１時間間隔よりも短く設定することで、監視者に検査用情報を確実に視認させることができる。
【００８３】
監視者は、例えば、サーバ装置３０が出力装置３０５に出力される情報を参照しつつ現場作業者と連絡を取り合うことで、現場作業者が現在、いずれのストリングＩＤのストリング６に設けられているＳＳＵ１０を対象ＳＳＵ１０として作業を行っているかを把握することができる。そして監視者は、例えば、２０［Ａ］が表示されているストリングＩＤを現場作業員から知らされたストリングＩＤと対照することで、ＳＳＵ１０が正しく配置されているか否か（ＳＳＵ配置管理表３４３の内容が正しいか否か）を判断することができる。
【００８４】
［検査用ＳＳＵと対象ＳＳＵの接続確立手順］
続いて、図１７Ａ乃至図１７Ｅとともに、検査用ＳＳＵ５０が対象ＳＳＵ１０との間で通信の接続を確立する手順（図１６Ｂとともに説明した接続確立手順）について説明する。
【００８５】
まず図１７Ａに示すように、検査用ＳＳＵ５０が、接続をリクエストするビーコン（以下、リクエストビーコン１７１０（Request Beacon）と称する。）をブロードキャストで送信する。リクエストビーコン１７１０には、送信元アドレス１７１１として、検査用ＳＳＵ５０のＭＡＣアドレスが設定されている。
【００８６】
図１７Ｂに示すように、リクエストデータを受信すると、ＳＳＵ１０は、リクエストデータの受信電界強度（ＬＱＩ）を設定したビーコン（以下、レスポンスビーコン１７２０（Response Beacon）と称する。）をユニキャストで送信する。レスポンスビーコン１７２０には、送信先アドレス１７２１として検査用ＳＳＵ５０のＭＡＣアドレスが、また送信元アドレス１７２２としてＳＳＵ１０のＭＡＣアドレスが、夫々設定されている。
【００８７】
検査用ＳＳＵ５０は、所定時間（例えば、数ｍ秒〜数秒程度）、レスポンスビーコン１７２０の受信を待機する。検査用ＳＳＵ５０は、レスポンスビーコン１７２０を受信すると、受信したレスポンスビーコン１７２０に含まれている送信元アドレス１７２２（送信元のＳＳＵ１０のＭＡＣアドレス）とＬＱＩ１７２３とを対応づけて、受信電界強度管理表５５１に登録する。
【００８８】
図１７Ｃに受信電界強度管理表５５１の一例を示す。上記の所定時間、レスポンスビーコン１７２０の受信を待機した後、検査用ＳＳＵ５０は、受信電界強度管理表５５１を参照し、受信電界強度（ＬＱＩ）が最大のＳＳＵ１０を対象ＳＳＵ１０として特定する。同図の例では、ＬＱＩが「１１２」のＭＡＣアドレスが「00158d00001a2b1e」のＳＳＵ１０を対象ＳＳＵ１０として特定する。
【００８９】
続いて、図１７Ｄに示すように、検査用ＳＳＵ５０は、特定した対象ＳＳＵ１０を宛先として、接続の確立を要求するデータ（Association Request Packet）（以下、リクエストデータ１７３０と称する。）をユニキャストで送信する。リクエストデータ１７３０には、送信先アドレス１７３１として対象ＳＳＵ１０のＭＡＣアドレスが、送信元アドレス１７３２として検査用ＳＳＵ５０のＭＡＣアドレスが、夫々設定されている。
【００９０】
図１７Ｅに示すように、対象ＳＳＵ１０は、リクエストデータ１７３０を受信すると、検査用ＳＳＵ５０を宛先として、接続の確立を承諾するデータ（Association Response Packet）（以下、レスポンスデータ１７４０と称する。）を送信する。レスポンスデータ１７４０には、送信先アドレス１７４１として検査用ＳＳＵ５０のＭＡＣアドレスが、送信元アドレス１７４２として対象ＳＳＵ１０のＭＡＣアドレスが、夫々設定されている。
【００９１】
以上の手順により、検査用ＳＳＵ５０と特定したＳＳＵ１０との間の接続が確立される。尚、このように検査用ＳＳＵ５０は、受信電界強度が最大のＳＳＵ１０（通常は検査用ＳＳＵ５０から最短距離に存在するＳＳＵ１０）を対象ＳＳＵ１０として特定するので、現場作業者は、対象ＳＳＵ１０に検査用ＳＳＵ５０を近づけるだけで、検査用ＳＳＵ５０と対象ＳＳＵ１０との間の通信の接続を容易に確立することができる。
【００９２】
＜処理説明＞
続いて、図１８に示すフローチャートとともに、サーバ装置３０、ＭＵ２０、ＳＳＵ１０、及び検査用ＳＳＵ５０において行われる処理について説明する。
【００９３】
ＭＵ２０は、ＳＳＵのＭＡＣアドレス一覧表２５１や検査用ＳＳＵのＭＡＣアドレス一覧表２５２の更新情報を随時（例えば、月一回、週一回等）、太陽光発電システム１の各ＳＳＵ１０に配信する（Ｓ１８２１）。各ＳＳＵ１０は、ＭＵ２０から更新情報を受信すると、自身のＳＳＵのＭＡＣアドレス一覧表１５１又は自身の検査用ＳＳＵのＭＡＣアドレス一覧表１５２に反映する（Ｓ１８３１）。
【００９４】
ＳＳＵ１０は、第１時間間隔で自身の計測値を設定した監視情報データ１２００をＭＵ２０に送信する（Ｓ１８３２）。ＭＵ２０は、監視情報データ１２００を受信すると、監視情報データ１２００をサーバ装置３０に転送する（Ｓ１８２２）。
【００９５】
ＳＳＵ１０の配置確認に際し、検査用ＳＳＵ５０は、リクエストビーコン１７１０をブロードキャストで送信する（Ｓ１８４１）。ＳＳＵ１０は、リクエストビーコンを受信すると（Ｓ１８３３）、レスポンスビーコン１７２０をユニキャストで検査用ＳＳＵ５０に送信する（Ｓ１８３４）。
【００９６】
検査用ＳＳＵ５０は、レスポンスビーコン１７２０の受信を所定時間待機する。検査用ＳＳＵ５０は、レスポンスビーコン１７２０を受信すると、受信したレスポンスビーコン１７２０に含まれている送信元アドレス１７２２とＬＱＩ１７２３とを対応づけて、受信電界強度管理表５５１に登録する（Ｓ１８４２）。検査用ＳＳＵ５０は、受信電界強度管理表５５１に基づきＬＱＩが最大のＳＳＵ１０を対象ＳＳＵ１０として特定し（Ｓ１８４３）、対象ＳＳＵ１０にリクエストデータ１７３０を送信する（Ｓ１８４４）。
【００９７】
対象ＳＳＵ１０は、リクエストデータ１７３０を受信すると（Ｓ１８３５）、検査用ＳＳＵ５０にレスポンスデータ１７４０を送信する（Ｓ１８３６）。
【００９８】
検査用ＳＳＵ５０は、レスポンスデータ１７４０を受信して対象ＳＳＵ１０との間で通信の接続を確立すると（Ｓ１８４５）、対象ＳＳＵ１０に対する第２時間間隔毎の検査用情報の無線送信を開始する（Ｓ１８４６）。
【００９９】
対象ＳＳＵ１０は、検査用情報を受信する度に（Ｓ１８３７）、受信した検査用情報を監視情報１２１３として設定した監視情報データ１２００を生成し、生成した監視情報データ１２００をマルチホップネットワークを介して第２時間間隔毎にＭＵ２０に送信する（Ｓ１８３８）。
【０１００】
ＭＵ２０は、検査用情報が設定された監視情報データ１２００を受信すると、監視情報データ１２００をサーバ装置３０に転送する（Ｓ１８２３）。
【０１０１】
サーバ装置３０は、監視情報１２１３として計測値や検査用情報が設定された監視情報データ１２００をＭＵ２０から受信すると（Ｓ１８１１）、監視情報データ１２００に設定されている送信元アドレス１２１２をＳＳＵ配置管理表３４３と対照し、送信元アドレス１２１２に対応するストリングＩＤを特定する（Ｓ１８１２）。そしてサーバ装置３０は、特定したストリングＩＤに対応づけて、監視情報データ１２００の監視情報１２１３（計測値や検査用情報）を出力装置３０５に出力する（Ｓ１８１３）。
【０１０２】
［複数台の検査用ＳＳＵを用いた場合］
ところで、太陽光発電システム１に多数のストリング６が存在する場合には、例えば、複数の検査用ＳＳＵ５０を用意し、複数の現場作業者が同時進行で作業を進めることで作業効率を向上することができる。この場合、例えば、図１９に示すように、各現場作業者が使用する検査用ＳＳＵ５０の夫々に異なる検査用情報を設定するとよい。これによりサーバ装置３０は、検査用ＳＳＵ５０毎に異なる検査用情報を出力するので、監視所等の監視者は、ＳＳＵ１０から送られてくる各検査用情報がいずれの検査用ＳＳＵ５０に基づくものであるのかを把握することができる。そのため、例えば、ＳＳＵ１０が予定されているストリング６とは異なるストリング６に誤って取り付けられていること等を容易に発見することができる。
【０１０３】
＜効果＞
以上に説明したように、本実施形態の太陽光発電システム１によれば、ＳＳＵ１０の配置確認に際し、対象ＳＳＵ１０に検査用ＳＳＵ５０を近づけることで、対象ＳＳＵ１０から検査用情報を設定した監視情報データ１２００を送信させ、サーバ装置３０に、検査用情報とストリングＩＤとを対応させた情報を出力させることができる。そのため、太陽光発電システム１の監視者は、ＳＳＵ１０が予定されているストリング６に正しく配置されていることを容易に確認することができる。
【０１０４】
尚、例えば、太陽光発電システム１に存在するストリング６の数を２００とし、従来の如くＳＳＵ１０を一つずつストリング６から取り外してＳＳＵ１０からサーバ装置３０に監視情報データが送られてくる否かを調べた場合、１つのＳＳＵ１０につき例えば３分（ストリング６からのコネクタの取り外しに３０秒、ＳＳＵ１０からサーバ装置３０に監視情報データに送られてこないことの確認に６０秒、コネクタをストリング６に取り付けてサーバ装置３０に監視情報データが送られてくることを確認するのに９０秒）を要するとすれば、合計で１０時間程度（＝３分×２００）を要することになる。
【０１０５】
これに対し、本実施形態の太陽光発電システム１による場合は、ＳＳＵ１０の取り外しや取り付け等の作業は発生せず、１つのＳＳＵ１０につき、例えば、６０秒程度で配置確認を行うことが可能であり、合計でも２００分程度（＝１分×２００）しか要しない。また前述の如く複数の検査用ＳＳＵ５０を用いて複数の現場作業者が同時に作業を行うようにすれば作業時間を更に短縮することができ、例えば、１０台の検査用ＳＳＵ５０を用いて１０人の現場作業者が同時に作業を進めた場合は２０分程度（２００分／１０）で作業を完了することができる。
【０１０６】
以上、本発明の実施の形態を説明したが、本発明はこれに限定されない。上述した各部材の素材、形状、及び配置は、本発明を実施するための実施形態に過ぎず、発明の趣旨を逸脱しない限り、様々な変更を行うことができる。
【符号の説明】
【０１０７】
１  太陽光発電システム、３  ＰＣＳ、４  接続箱、５  ＰＶ、６  ストリング、８  電流ライン、８１  正側ライン、８２  負側ライン、１０  ＳＳＵ、１１１  マルチホップ通信部、１１２  監視情報データ送信部、２０  ＭＵ、２１１  マルチホップ通信部、２１２  サーバ装置通信部、２０２  第２無線通信装置、３０  サーバ装置、５０  検査用ＳＳＵ、５０３  第３無線通信装置、５１１  マルチホップ通信部、５１２  対象ＳＳＵ特定部、５１３  検査用情報送信部、５５１  レスポンスデータのＬＱＩ管理表、５５２  検査用情報、５１１  マルチホップ通信部、５１２  対象ＳＳＵ特定部、５１３  検査用情報送信部、５１４  検査用情報設定部、５５１  受信電界強度管理表、５５２  検査用情報、３１１  ＭＵ通信部、３１２  監視情報出力部、３１３  ＳＳＵ配置管理部、１０１  電圧検出器、１０２  電流検出器、１０３  ＡＤＣ、１０４  第１無線通信装置、１２００  監視情報データ、１２１１  送信先アドレス、１２１２  送信元アドレス、１２１３  監視情報、１２１４  取得時刻
【図１】
0006314166.tif 000002
【図２】
0006314166.tif 000003
【図３】
0006314166.tif 000004
【図４】
0006314166.tif 000005
【図５】
0006314166.tif 000006
【図６】
0006314166.tif 000007
【図７】
0006314166.tif 000008
【図８】
0006314166.tif 000009
【図９】
0006314166.tif 000010
【図１０Ａ】
0006314166.tif 000011
【図１０Ｂ】
0006314166.tif 000012
【図１１】
0006314166.tif 000013
【図１２】
0006314166.tif 000014
【図１３】
0006314166.tif 000015
【図１４】
0006314166.tif 000016
【図１５】
0006314166.tif 000017
【図１６Ａ】
0006314166.tif 000018
【図１６Ｂ】
0006314166.tif 000019
【図１６Ｃ】
0006314166.tif 000020
【図１６Ｄ】
0006314166.tif 000021
【図１７Ａ】
0006314166.tif 000022
【図１７Ｂ】
0006314166.tif 000023
【図１７Ｃ】
0006314166.tif 000024
【図１７Ｄ】
0006314166.tif 000025
【図１７Ｅ】
0006314166.tif 000026
【図１８】
0006314166.tif 000027
【図１９】
0006314166.tif 000028